(57)【要約】      （修正有）【課題】既成服に穴を設けることにより簡易・強固に取付け可能な衣服用ファンを提供する。【解決手段】ファン本体１２と、ファン収納部１３と、ファンカバー部１１とからなる。ファン収納部１３は、表面１３２１に多数の突起Ｔからなる滑り止を備えたフランジ１３２と、筒体１３１と、空気取り入れ部を構成するリブ１３３とからなり、筒体１３１の上部には凸部１３５を備える嵌合部材１３４を設ける。ファンカバー部１１は、裏面１１２１に多数の突起からなる滑り止を設けたフランジ１１２と、嵌合孔１１３を備えた筒体１１１と、空気吹出部１１５を構成するリブ１１４を備え、ファン本体１２をファン収納部１３に収納し、ファン収納部１３の筒体１３１に設けた嵌合部材１３４の備える凸部１３５をファンカバー部１１の嵌合孔１１３に嵌合する。【選択図】図１
0003221981.tif 000002
【実用新案登録請求の範囲】
【請求項１】
ファン本体と、ファン本体収納部と、ファンカバー部とからなる、衣服用ファンであって、
上記ファン本体収納部は、表面に多数の突起からなる滑り止を備えたフランジと、筒体と、空気取入部を構成するリブとからなり、上記筒体の上部には凸部を設けた嵌合部材を備え、
上記ファンカバー部は、裏面に多数の突起からなる滑り止を設けたフランジと、嵌合孔を備えた筒体と、空気吹出部を構成するリブを備え、
上記ファン本体を上記ファン本体収納部に収納し、上記ファン本体収納部の上記筒体の上部に設けた上記嵌合部材の備える上記凸部を、上記ファンカバー部が備える上記嵌合孔に嵌合してなることを特徴とする衣服用ファン。
【請求項２】
上記滑り止が、多数の錐体からなる請求項１に記載の衣服用ファン。
【請求項３】
上記ファン本体収納部及び上記ファンカバー部の材質がゴム、エラストマー及び樹脂の中から選ばれる1種である請求項１又は請求項２に記載の衣服用ファン。
【考案の詳細な説明】
【技術分野】
【０００１】
本願は衣服用ファンに関する。詳しくは、既成服の任意の位置に布地にファン本体収納部の外周形状に相当する穴を形成し、この穴にファン本体収納部を挿入し、この収納部の滑り止を備えたフランジと、ファンカバー部の滑り止を備えるフランジで、堅固に布地をグリップして取付けることができる衣服用ファンに関する。
【背景技術】
【０００２】
夏季における猛暑日のなかで、外出等をするときは、非常な苦痛を感じる。特に、屋外の日差しの中で作業するときは更に大変である。従来は、猛暑に耐えるように作業服に、ファンを取付けたものが普及していた。しかし、近年の異常なまでの猛暑は、作業者以外の一般の者にも着衣にファンを取付けることが必要になってきた。
【０００３】
また、従来のファンを取付けた作業着は、高価であって、何人も入手ができるとは言い難い。ファンを衣服に取付ける際にもっとも困難となる作業は、衣服にファンと同一形状の穴を設けて、堅固に取付けないと、着衣中にファンが脱落してしまうことである。
【０００４】
このため、衣服に開けた穴の周囲を補強する必要があり、この工程が高価になる理由であった。近年は、小さく・軽量・強馬力のファンが開発されている。本願考案者は一般の人が、屋外作業者等に限らず通常着用する普段着に所定形状の穴をあけて、特別にこの穴の周囲を補強することなく、簡易且つ強固に取付けることができる衣服用ファンを提案する。
従って、一般者も本願考案に係る衣服用ファンを入手することにより、任意の衣服に容易に取付けることができ、空調衣服を得られる。
【０００５】
【先行技術文献】
【特許文献】
【０００６】
【特許文献１】特開２０１６−３３２６７
【特許文献２】特開２０１８−１１５６４６
【特許文献３】特開２０１８−１１２１７７
【考案の開示】
【考案が解決しようとする課題】
【０００７】
本願衣服用ファンは、ファン本体、ファン本体収納部及びファンカバー部からなり、ファン本体収納部とファンカバー部が備えるフランジに衣服地の多数の突起からなる滑り止を設ける。この衣服用ファンは、既成服に平面視でファン本体収納部と同一寸法の穴を設けることにより簡易且つ強固に取付け可能である。
【課題を解決するための手段】
【０００８】
本願衣服用ファン１は、ファン本体１２と、ファン本体収納部１３（以下、「ファン収納部１３」という。）と、ファンカバー部１１とからなる。このファン収納部１３は、表面１３２１に滑り止を備えたフランジ１３２と、筒体１３１と、空気取り入れ部を構成するリブ１３３を備え、ここにファン本体１２を収納する。このファン収納部１３の筒体１３１の上部には凸部１３５を備える嵌合部材１３４を設け、ファンカバー部１１が備える嵌合孔１１３でこの凸部１３５と嵌合孔１１３が嵌合する。
【０００９】
上述のファンカバー部１１は、裏面１１２１に多数の突起Ｔからなる滑り止を設けたフランジ１１２と、嵌合孔１１３を備えた筒体１１１と、空気吹出部１１５を構成するリブ１１４を備える。ファン収納部１３の筒体１３１の平面形状に相当する穴Ｈを衣服布地に設け、この穴Ｈにファン収納部１３を挿入する。ファンカバー部１１の裏面１１２１に滑り止を設けたフランジ１１２と、ファン収納部１３の表面１３２１に滑り止を設けたフランジ１３２で、上記衣服地をグリップするとともに、嵌合部材１３４の凸部１３５と嵌合孔１１３でファン収納部１３とファンカバー部１１は嵌合固定される。
【００１０】
このファン収納部１３のフランジ１３２の表面１３２１に設けた滑り止とファンカバー１１のフランジ１１２の裏面１１２１に設けた滑り止により、この衣服用ファン１は衣服に簡易・強固に取付けられる。この滑り止は、多数の突起Ｔからなる。突起とは平面から盛り上がった状態をいい、特にその形状は限定されない。この突起の例としては円錐体、角錐体等が挙げられ、好ましく用いられる。この突起からなる滑り止は、衣服地を強固にグリップして、ファンが衣服地から脱着することがない。
【００１１】
本願考案に係る衣服用ファン１を構成するファン収納部１３及びファンカバー部１１の材質は、特に限定するものではないが、材質がゴム、エラストマー、樹脂の中から選ばれる1種であることが好ましい。安価で軽量且つ強度が大きく、柔軟で可撓性に富むため、ファン収納部１３及びファンカバー部１１の嵌合をスムーズに行うことができる。
【考案の効果】
【００１２】
本願考案に係る衣服用ファンは、ファン収納部のフランジの表面に設けた滑り止とファンカバー部のフランジ裏面に設けた滑り止によって、衣服地をしっかりグリップするため、既成の衣服地であっても、円形の穴を設けるだけで衣服に強固に固定される。また、構造がシンプルであり、製造が容易で安価である。また、滑り止が円錐等の錐体形状である場合は、特に衣服地を強固にグリップする。また、ファン収納部及びファンカバー部の材質が、ゴム、エラストマー、樹脂の中から選ばれる1種であるときは、安価で軽量且つ強度が大きく、柔軟で可撓性に富むため、ファン収納部とファンカバー部の嵌め合を容易にする。
【図面の簡単な説明】
【００１３】
【図１】本願衣服用ファンを上方向から見た分解・組立の説明斜視図である。
【図２】本願衣服用ファンを下方向から見た分解・組立の説明斜視図である。
【図３】本願衣服用ファンが布地をグリップした状態を表す側面図及び一部拡大図である。
【図４】本願衣服用ファンを構成するファン収納部のフランジの表面に設けた滑り止とファンカバー部のフランジ裏面に設けた滑り止を表す説明図である。
【図５】図３に係るＡ−Ｂ切断断面図である。
【考案を実施するための形態】
【００１４】
以下、本願考案を実施するための形態を図に基づいて詳細に説明する。これらの図中の記号（または番号）は、共通する要素の場合は省略している。また、図中において要素が明瞭である場合も省略している。これらの図は本願考案を説明するために模式的に描いたものであり、本願考案がこれらの図に拘束されるものではない。
【００１５】
図１は、本願衣服用ファン１を上方向から見た分解・組立の説明斜視図である。本願衣服用ファン１は、ファン本体１２と、ファン収納部１３と、ファンカバー部１１とからなる。ファン本体１２は市場において、種々のものが得られる。ファン本体１２の平面形状は通常円形であるが、多角形のものも使用される。ファン収納部１３の筒体１３１の平面形状及び大きさは、ファン本体１２の平面形状及び大きさに一致させる。ファン本体１１が多角形のものは、ファン収納部１３の製作がやや難しいが、ファンの羽根１２１の回転による反力に対して、ファン本体１２がファン収納部１３の中で回転することがない。
【００１６】
このファン本体１２は、リード線１２２とコネクター１２３を備える。通常ファン本体の動力源であるバッテリーは、ズボンのバンド等に固定する。バッテリーのコネクターをファン本体１２のコネクター１２３と接続してバッテリー収納ボックスのオン・オフのスイッチによりファン本体１２の羽根１２１を回転させて、外気を衣服内に導いて涼を得る。
【００１７】
このファン本体１２のモーター駆動電力は、通常、電圧は５ボルト〜２４ボルト、電流は０．１５アンペア〜０．２０アンペアのものが使用される。この範囲のファンは、バッテリーの１回の充電で、４時間〜８時間使用可能である。また、これら範囲以外であっても用途に応じて、大電力のモーターを使用することもできるし、小電力のものを使用することもできる。
【００１８】
ファン収納部１３は、表面１３２１に多数の突起Ｔからなる滑り止を備えたフランジ１３２と、筒体１３１と、空気取り入れ部を構成するリブ１３３とからなり、筒体１３１の上部には凸部１３５を備える嵌合部材１３４を設ける。突起とは、水平面から盛り上がった状態をいう。形状は特に限定されないが、錐体形状が好ましい。錐体形状とは円錐形状、角錐体形状が代表例として挙げられる。布地を確実・堅固にグリップするからである。ここでフランジの表面とは、本願考案１を上方向から見た場合の位置をいい、具体的には図中の１３２１を指す。フランジの裏面についても同様に具体的には図中の１１２１を指す。
【００１９】
多数の突起とは、突起の大きさ等より、その数には制限があるが、図４に示すように外径９０ｍｍ、内径７０ｍｍのフランジ１３２の表面１３２１には通常１０〜８０個の突起が設けられる。好ましくは３０〜６０個、更に好ましくは４０〜５０個の突起が設けられる。従って、ここでいう多数とは、約１センチ平方メートルにつき、約０．５個〜４個のことをいう。
【００２０】
このファン収納部１３の材質は、特に限定されないが、嵌合部材１３４は可撓性を必要とする。図５は、力が矢印の方向に加わったとき、ファンカバー部１１の筒体１１１は下方向に移動し、ファン収納部１３を構成する嵌合部材１３４が撓む。次いで、ファン収納部１３を構成する嵌合部材１３４に設けた凸部１３５が、ファンカバー部１１の筒体１１１に設けられた嵌合孔１１３に嵌合する状態を示す。
【００２１】
ファン収納部１３の材質は、特に限定はされないが、少なくとも上述の嵌合部材１３４は可撓性を有する必要がある。好ましくは材質がゴム、エラストマー、樹脂の中から選ばれる1種を用いる。安価・軽量・堅牢であり且つ可撓性にとむため、上述のファン収納部１３とファンカバー部１１の嵌合が容易になる。
【００２２】
ファン収納部１３を構成するリブ１１４は、ファン収納部１３の全体構造を補強するとともにファン本体に異物が吸込まれて、羽根１２１の回転が阻害され、駆動モーターが損傷されるのを防ぐ。このリブ１１４の数は特に制限はないが、フランジ１３２の内径が７０ｍｍ程度のものであると２０〜３０個が好ましく用いられる。
【００２３】
ファンカバー部１１は、裏面１１２１に多数の突起Ｔからなる滑り止を設けたフランジ１１２と、嵌合孔１１３を備えた筒体１１１と、空気吹出部１１５を構成するリブ１１４を備える。このファンカバー部１１の材質はファン収納部１３と同一のものを使用できる。ファンカバー部１１のフランジ１１２の大きさ及び形状は、ファン収納部１３のフランジ１３２と同一形状と同一の大きさとすることが好ましい。
【００２４】
このフランジ１１２の裏面１１２１には、ファン収納部１３のフランジ１３２の表面１３２１に設けた同一形状、同一大きさの突起Ｔを約同数設ける。空気吹出部１１５を構成するリブ１１４については、ファン収納部１３に用いたものがそのまま妥当する。図４に、フランジ１１２の裏面１１２１及びファン収納部１３のフランジ１３２の表面１３２１に設ける突起Ｔの配列の例を示す。
【００２５】
図２は、本願衣服用ファン１を下方向から見た分解・組立の説明斜視図である。また、衣服の布地Ｎに穴を設けた本願衣服用ファン１の使用方法をも示す図である。衣服の布地Ｎに設ける穴は、ファン収納部１３及びファンカバー部１１の形状及び大きさと略同一にする。この穴の周囲は補強する必要はない。本願衣服用ファン１は、フランジ１１２、１３２に設けた多数の突起Ｔによって布地Ｎを確実・強固にグリップするためである。もちろん、補強が必要であると考える者は補強をすることができる。
【００２６】
図３は、本願衣服用ファン１が布地Ｎを突起Ｔグリップした状態を表す側面図及び一部拡大図である。穴Ｈを設けられた布地Ｎは、ファンカバー部１１が備えるフランジ１１２の裏面１１２１に設けられた多数の突起Ｔと、ファン収納部１３が備えるフランジ１３２の表面１３２１に設けられた多数の突起Ｔで、布地Ｎを、確実・強固にグリップしていることを示している。ファン収納部１３が備える嵌合部材１３５に設けられた凸部１３５が、ファンカバー部１１の筒体１３１が備える嵌合孔１１３に嵌合して、このグリップが緩むことがない。
【００２７】
図４は、本願衣服用ファン１を構成するファン収納部１３のフランジの表面１３２１に設けた突起Ｔを備えた滑り止とファンカバー部１１のフランジ裏面１１２１に設けた突起Ｔを備えた滑り止を表す説明図である。突起Ｔの位置は、フランジ１１２の裏面１３２１に設けた突起Ｔとフランジ１３１の表面１３２１に設けた突起Ｔが、ファンカバー部１１とファン収納部１３嵌合したときに、重ならないようにする。
【００２８】
図５は、図３に係るＡ−Ｂ切断断面図である。上述したように、力が矢印の方向に加わったとき、ファンカバー部１１の筒体１１１は下方向に移動し、ファン収納部１３を構成する嵌合部材１３４が撓む。次いで、ファン収納部１３を構成する嵌合部材１３４に設けた凸部１３５が、ファンカバー部１１の筒体１１１に設けられた嵌合孔１１３に嵌合する。この衣服用ファン１を、衣服から取り外すときは、上述の凸部１３５を押圧して嵌合孔１１３から外す。嵌合部材１３４は可撓制を有するため、容易にこの嵌合を解除することができる。
【符号の説明】
【００２９】
１        衣服用ファン
１１      ファンカバー部
１１１    筒体
１１２    フランジ
１１２１  フランジの裏面
１１３    嵌合孔
１１４    リブ
１１５    空気吹出部
１２      ファン本体
１２１    羽根
１２２    リード線
１２３    コネクター
１３      ファン収納部
１３１    筒体
１３２    フランジ
１３２１  フランジの表面
１３３    リブ
１３４    嵌合部材
１３５    凸部
Ｔ        突起
Ｎ        布地
Ｈ        穴
【図１】
0003221981.tif 000003
【図２】
0003221981.tif 000004
【図３】
0003221981.tif 000005
【図４】
0003221981.tif 000006
【図５】
0003221981.tif 000007